(57)【特許請求の範囲】
【請求項１】
断熱筒と、上蓋と、下蓋と、発熱素子と、電極端子と、放熱体とを有する発熱装置であって、
前記断熱筒は、上下が開放された中空状の角筒であり、断熱性を有し、
前記上蓋は、断熱筒の上部開口面を塞ぐ熱伝導性シートであり、
前記下蓋は、断熱筒の下部開口面を塞ぐ断熱性の板であり、
前記発熱素子は、平行平面の相対する両面に電極を有し、前記電極が上下の開口面の方向を向くように断熱筒内に配置される正特性サーミスタであり、
前記電極端子は対をなし、それぞれリード端子用の舌片を有し、一方の電極端子は上蓋側に、他方の電極端子は下蓋側に配置されて、前記断熱筒内で前記発熱素子の前記電極に重ねられ、
上蓋側の電極端子は平板であり、下蓋側の電極端子は平板の対向縁に対のばね座を有し、
対のばね座は、平板の延長部分を向き合わせに折り返してその折返し部分にばね性を保有させたものであり、リード端子用の舌片はそれぞれ角筒の外部に引き出され、
前記放熱体は、放熱筒と、放熱筒の上下開口縁の一部に放熱筒の外方に張出して締付縁を有し、
前記放熱筒は、前記断熱筒の上部開口を塞ぐ熱伝導性シートに接してその外面に配置され、
放熱筒の上下の締付縁は、断熱筒を跨り、更に下蓋下面に折り返され、前記放熱筒を上蓋の外面に圧接させると共に下蓋に圧接されているものであることを特徴とする液体蒸散器用発熱装置。
【請求項２】
対のばね座は、平板の延長部を向き合わせに曲面に折り返すことによって形成され、両ばね座の折返し部分の頂部が下蓋の板面に支えられ、サーミスタ素子は、平板の板面に圧接されているものであることを特徴とする請求項１に記載の液体蒸散器用発熱装置。
【発明の詳細な説明】
【技術分野】
【０００１】
本発明は、液体式電気蚊取器の薬液、芳香器の芳香液等の液体を加熱して蒸散させる発熱装置に関する。
【背景技術】
【０００２】
殺虫液を毛細管現象によって浸透させた吸液芯を外周から加熱することにより、殺虫ガスを放散させる液体式の電気蚊取器等において、吸液芯を加熱して液体を蒸散させる装置として、図５に示す発熱装置が特許文献１に記載されている。
【０００３】
この装置は、底部２７と対向する面２８側が開口面となっている凹部を有するケース２１と、前記ケース２１の前記開口面２８を閉塞するケース蓋２６と、相対する両面に電極３４，３５を有し、前記電極３４，３５が前記底部２７及び前記開口面２８の方向を向くように前記凹部内に配置された発熱素子である正特性サーミスタ２２と、前記凹部内において前記正特性サーミスタ２２の前記電極３４，３５に重ねられ前記開口面２８側から外部に導出された電極端子２３，２４と、放熱筒体２５と折曲げ片２９，３０を有する放熱部材３１との組合せからなっているものである。
【０００４】
前記放熱筒体２５は、前記ケース２１の底部外面上に配置され、折曲げ片２９，３０は、軸方向の両端に取付けられ、折曲げ片２９，３０が前記ケース２１の裏面側に折畳まれてケース２１に放熱筒体２５が取り付けられるものである。
【０００５】
特許文献１の記載によれば、薬液がケース２１の凹部内に侵入するのを完全に阻止できること、このため、薬液侵入による正特性サーミスタ２２の劣化を阻止し、信頼性を高めることができるという効果が強調されている。
【０００６】
ところで、上記発熱装置によるときには、ケース蓋側に面して配置される電極端子２４はバネ部３２及び平板部３３を有し、バネ部３２のバネ圧により平板部３３を電極３４に弾力的に接触させるというのであるが、図５に明らかなとおり、バネ部３２は、平板部３３の一側縁を他側縁に向けて折返したものであるため、折返し部分によってバネ部３２が平板部３３につながっている平板部３３の一側縁３６と、バネ部３２がつながっていない平板部３３の他側縁３７とでは、当然バネ部３２が作用する弾性力の大きさが異なり、このため、電極端子２４とサーミスタ２２との接触圧力に部分的に差が生じ、その結果、サーミスタ２２と電極端子２４間の導通の安定性が必ずしも確保されない場合があって、発熱温度が不安定になる虞があった。
【０００７】
さらに、ケース２１には、熱伝導性、耐薬品性に優れた電気絶縁物、例えばアルミナを用い、底部は孔や穴などの開口部を持たない閉じた面を構成していたが、放熱筒体２５を加熱するために必要な放熱面は、この例では、図上ケース２１の上底面であって、ケース２１の四周面を含めて熱伝導性に優れた材料を用いることは、発熱エネルギーの利用効率の点からは望ましいことではない。
【特許文献１】実用新案登録第２５６９７２５号公報
【発明の開示】
【発明が解決しようとする課題】
【０００８】
解決しようとする問題点は、特許文献１に記載に記載された発熱装置における電極端子のバネ部の構造では、電極端子とサーミスタ素子との接触圧力に偏りが生じ、その結果、サーミスタ素子と電極端子間の導通の安定性が確保されないことがあり、また、サーミスタ素子を収容するケースに有底のアルミナケースを用いたのでは、発熱エネルギーのロスが大きいという点である。
【課題を解決するための手段】
【０００９】
本発明は、発熱素子と対の電極端子間の導通の安定性を確保するため、ばね性を賦与する側の電極端子の両側に、弾力性を保有させた対のばね座を向き合わせに形成して下蓋の板面に安定に着座させて発熱素子の全面を電極端子の板面に均等に圧接させること、また、発熱素子と対の電極端子を収納するケースとして、断熱性の中空の角筒とその一面の開口を覆う熱伝導性に優れた材質からなる上蓋及び断熱性の下蓋との組合せを用い、発熱素子に発した熱を放熱筒の取付面となる上蓋以外への放熱を阻止して熱の利用効率を高めることを主要な特徴とする。
【発明の効果】
【００１０】
本発明の発熱装置は、電極端子の平板の対向縁に設けた対のばね座の有するばね作用を発熱素子に作用させて対の電極端子間に発熱素子を均一に圧接させるため、発熱素子の全面を、対の電極端子の板面に均一に圧接して安定に発熱させることができる。また、発熱素子の発する熱は、主として断熱筒の上面開口を覆う上蓋の熱伝導性シートを通して放熱筒に伝えられるため、発熱素子に発した熱の利用効率を高め、熱エネルギーのロスを抑えることができるという利点がある。
【発明を実施するための最良の形態】
【００１１】
発熱素子と、対の電極端子間に均一に圧接して安定に発熱させるという目的を電極端子の形状を改良することによって実現した。
【実施例１】
【００１２】
図１は、本発明に係る発熱装置の要部における分解斜視図、図２（ａ）は同じく組立状態での正面断面、（ｂ）は同側面図である。図において、本発明による液体蒸散器用発熱装置は、断熱筒１と、上蓋２と、下蓋３と、発熱素子４と、対の電極端子５，６と、放熱体７との組合せからなっている。本発明において、上下の区別は、図１，２を用いて説明するに際しての専ら説明の都合上の区別であり、いずれが上側あるいは下側であっても良い。また、後に説明するように発熱装置を蒸散器に組み込むときには、断熱筒１を立てて、上蓋２を正面、下蓋３を背面として図４の正立姿勢で使用される。
【００１３】
断熱筒１は、上下面が開放された中空の角筒であり、断熱性を有する合成樹脂成形体である。上蓋２は、断熱筒１の上部開口面を塞ぐ熱伝導性シートであり、この実施例においては、熱伝導性、耐薬品性に優れた電気絶縁シート、たとえばアルミナシートを用いている。下蓋３は、断熱筒１の下部開口面を塞ぐ断熱性を有する絶縁板であり、この実施例では断熱筒１と同じ材質の合成樹脂シートを用いている。
【００１４】
発熱素子４は、平行平面の両面に電極を有する円板状又は角型のチップ状の正特性サーミスタであり、電極面が上下の開口方向を向くように断熱筒１内に配置されている。電極端子５，６は対をなし、それぞれリード端子用の舌片８を有している。一方の電極端子５は発熱素子４を挟んで上蓋２側に、他方の電極端子６は下蓋３側に配置されてそれぞれ発熱素子４の前記電極に重ねられるものである。
【００１５】
上蓋２側の電極端子５は、電極圧接部として平板を有し、下蓋３側の電極端子６は電極圧接部としての平板と、平板の対向縁に対のばね座９，９が形成されているものである。図３に下蓋３側の電極端子６の加工例を示す。図３（ａ）において、下蓋３側の電極端子６は、リード端子用の舌片８を一縁に有し、電極接触部となる平板部１０の両端に板状の延長部分１１，１１を有しており、対のばね座９，９は、この延長部分１１，１１をそれぞれ曲げ加工によって形成したものである。曲げ加工に際しては、まず、図３（ｂ）のように各延長部分１１を平板１０の一面側に折り曲げ、さらに図３（ｃ）のように折返し部分を弯曲させて平板部１０の一面に折返し、断熱筒１の高さ程度の立上り高さを確保してその折返し部分にばね性を保有させる。
【００１６】
組立てに際しては、まず、対の電極端子５，６間に発熱素子４を挟んでこれを断熱筒１内に配置し、断熱筒１の上部開口縁およびに下部開口縁にシリコン接着剤を塗布して上蓋２を断熱筒１の上部開口縁に接着すると共に下蓋３を断熱筒１の下部開口縁に接着させ、断熱筒１の上下開口縁をそれぞれ上蓋２と下蓋３とで施蓋する。各電極端子リード端子用の舌片８，８は、図２に示すように、いずれも断熱筒１の下端開口側に向けて直角に折り曲げ、断熱筒１と下蓋３との隙間から外部に引き出す。
【００１７】
前記放熱体７は、放熱筒１３と、放熱筒１３の上下開口縁の一部に放熱筒１３の外方に張出した締付縁１４，１４とからなっている。放熱筒１３は、薬液の吸液芯を差し込む部分であり、外周面の長手方向一部を前記断熱筒１の上部開口を塞ぐ上蓋２のシート面に密着させてその外面に配置されるものである。放熱筒１３の上下の締付縁１４，１４は、断熱筒１の対向面に跨ってその外面を沿わせ、更に下面開口を施蓋する下蓋３の下面側に折り返し、断熱筒１に組み付け、発熱装置１２に組み立て、上下の蓋２，３を断熱筒１に圧着する。
【００１８】
上下の蓋２，３は、断熱筒１に接着されるが、さらに放熱筒１３の上下の締付縁１４，１４で上下の蓋２，３を断熱筒１に圧着することによって、対の電極端子５，６は、上蓋２と下蓋３間で加圧され、ばね座９，９が圧縮されてそのばね作用で対の電極端子５，６は、発熱素子４を緊密に密着し、発熱素子４は、その全面が電極端子５，６の平板面に均等に圧接される。本発明の発熱装置１２を液体蒸散器（図示略）に組み込む際には、発熱装置１２を図２に示す倒立の姿勢から直角に起立させて図４に示すように上蓋２を正面、下蓋３を背面として放熱筒１３が垂直となる姿勢に変換する。
【００１９】
液体蒸散器は、薬剤を充填した容器中の薬液中に一部が浸された吸液芯１５が垂直に取り付けられている。この吸液芯１５を放熱筒１３内に下方から差し込み、両舌片８，８を通じて発熱素子４に直流電流を給電してこれを発熱させると、その熱は、電極端子５を通じて上蓋２のアルミナシートに伝えられ、さらに上蓋２に接する放熱筒１３を加熱し、吸液芯１５を周囲から加熱して薬剤を熱放散させる。
【００２０】
なお、発熱素子４の発した熱は、上下の電極端子５，６を通して断熱筒１の角筒内に満たされるが、断熱筒１および下蓋３は断熱性を有する合成樹脂製のため、断熱筒１の四周面及び下蓋３からの放熱は抑制され、主として上蓋２の熱伝導性シートを通じて放熱される。
【００２１】
また、下蓋３側の電極端子６の両側に形成された対のばね座９，９は、下蓋３の内面に着座して放熱体７の締付縁１４で加圧されるため、電極端子５，６の板面各部が発熱素子４に均等に密着して発熱素子４に対する接触抵抗に偏りが生ぜず、したがって、発熱素子４の発熱を安定させることができる。
【００２２】
以上実施例では、電極端子６の両ばね座９，９を下蓋３の上面に着座させ、電極端子６の板面に発熱素子４を密着させることによって、電極端子６と発熱素子４との接触の安定性を確保しているが、逆に、電極端子６の板面を下蓋３の上面に着座させ、両ばね座９，９上に跨って発熱素子を支えることもできる。
【産業上の利用可能性】
【００２３】
本発明は、液体式電気蚊取器の薬液，芳香液，その他の液体を加熱して蒸散させる液体蒸散用発熱装置として広く活用することができる。
【図面の簡単な説明】
【００２４】
【図１】本発明による発熱装置の要部における分解斜視図である。
【図２】（ａ）は、本発明による発熱装置の正面図、（ｂ）は同側面図である。
【図３】（ａ）〜（ｃ）は電極端子にばね座を加工する要領を示す図である。
【図４】本発明による発熱装置の使用状態での姿勢を示す図である。
【図５】特許文献１に記載された発熱装置（正特性サーミスタ装置）の要部における分解斜視図である。
【符号の説明】
【００２５】
１  断熱筒
２  上蓋
３  下蓋
４  発熱素子
５，６  電極端子
７  放熱体
８  舌片
９  ばね座
１０  平板部
１１  延長部分
１２  発熱装置
１３  放熱筒
１４  締付縁
１５  吸液芯
【図１】
0004716219.tif 000002
【図２】
0004716219.tif 000003
【図３】
0004716219.tif 000004
【図４】
0004716219.tif 000005
【図５】
0004716219.tif 000006